(57)【特許請求の範囲】
【請求項１】
頂上部分（２５）と、これに対して傾斜した複数のステープル脚部（２６）とを具備するステープル（６）を使用するためのステープラ（１）であり、
ワークピース（２４）を、ステープルマガジン（５）から前記ステープル脚部が前記ワークピースを貫通する位置へ、ステープラに取着されているドライバ（１１）によって駆動されるステープルによって、留め、
アンビル部分（１３）とコンテナ（１２）とを有しており、前記アンビル部分（１３）には、切断装置（１４）が装着されており、前記アンビル部分（１３）と切断装置（１４）とは、切断装置（１４）が、前記ステープル脚部がワークピースを貫通した時に動作位置で前記ステープル脚部の余分の長さの部分を切断するように、動作位置と休止位置との間で所定の方向（Ｈ）に、前記ステープルマガジンに対して往復移動し、前記コンテナ（１２）は、前記ステープル脚部の切断された部分を、前記切断装置との間で、所定の長手方向（Ａ−Ａ）に延びているチャンネル（１５）を介して搬送されることによって集める、ステープラ（１）において、
前記接続装置（１６）は、前記切断装置の往復移動にて回動されるスリーブ（１７）を有し、このスリーブ（１７）は、チャンネル（１５）に接続されており且つステープラに回動可能に取着されているスピンドル（１９、３０）に回動可能に接続されており、この結果、スピンドルの回動によって、スリーブが回動し、そして、チャンネルが回動する、ことを特徴とするステープラ（１）。
【請求項２】
前記スリーブは、開口部（２９）を有することを特徴とする請求項１に記載のステープラ（１）。
【請求項３】
前記スピンドル（１９）は、モータ（Ｍ）により回動されることを特徴とする請求項１又は２に記載のステープラ（１）。
【請求項４】
前記スピンドル（３０）は、円形でない断面を有することを特徴とする請求項１乃至３のいずれか１に記載のステープラ（１）。
【請求項５】
前記切断装置の移動の方向（Ｈ）と、前記チャンネルの長手方向（Ａ−Ａ）との間の角度（ａ）が、前記切断装置が往復移動の時にどこにあるかによって変わることを特徴とする、請求項１乃至４のいずれか１に記載のステープラ（１）。
【発明の詳細な説明】
【技術分野】
【０００１】
本発明は、頂上部分と、これに対して傾斜した複数のステープル脚部とを具備するステープルを使用するためのステープラであり、ワークピース、例えば紙の束を、ステープルマガジンから前記ステープル脚部がワークピースを貫通する位置へ、ステープラに取着されているドライバによって駆動されるステープルによって、一緒に留め、アンビル部分とコンテナとを有しており、前記アンビル部分には、切断装置が装着されており、前記アンビル部分と切断装置とは、切断装置が、前記ステープル脚部が前記ワークピースを貫通した時に動作位置で前記ステープル脚部の余分の長さの部分を切断するように、動作位置と休止位置との間で所定の方向に、前記ステープルマガジンに対して往復移動し、前記コンテナは、前記ステープル脚部の切断された部分を、前記切断装置との間で、所定の長手方向に延びているチャンネルを介して搬送させることによって集める、ステープラに関わる。
【背景技術】
【０００２】
序文に示されている形式のステープラは、少し例をあげると例えば特許文献１、特許文献２、特許文献３、特許文献４によって既知である。このような従来のステープラの欠点は、チャンネルがステープラに固定して取着されていることである。即ち、ステープラは、使用時に、前記ステープル脚部の切断された部分が重力によって前記チャンネルを通って導かれるように、水平面に対して配置されなければならない。即ち、水平面に対するステープラの配置のための可能な選択が、制限される。特許文献２は、チャンネルがアンビル部分に対して固定して接続されており、且つこのアンビル部分の動きと一緒に動作するステープラに関わる。このことは、前記水平面に対するステープラの配置のための可能な選択の範囲を、いくらか増加させる。特許文献３は、前記水平面に対するステープラの配置のための可能な選択の範囲を同様に増加させる２つの独立したチャンネルを有するステープラに関わる。特許文献４は、切断装置に固定して接続されている第１の部分と、この第１の部分に回動可能に接続されている第２の部分とから成るチャンネルを有するステープラを開示している。
【０００３】
しかしながら、すべての従来のステープラは、水平面に対する種々の傾斜角度でステープラを配置し、一方で、同時にコンテナへの脚部の切断された部分の信頼性のある搬送を確実にするための範囲が制限された解決法を、提供している。
【０００４】
従って、ステープラと水平面との間の広範囲の種々の傾斜角度で、前記チャンネルを通って脚部の切断された部分を搬送する機能を維持しながら使用可能であるように構成されたステープラが、必要である。
【先行技術文献】
【特許文献】
【０００５】
【特許文献１】US 4844319
【特許文献２】EP 1834745
【特許文献３】EP 1779977
【特許文献４】EP 1683616
【発明の概要】
【０００６】
本発明は、従来のステープラの問題に対する解決法を提供するステープラを提供する。
【０００７】
本発明は、前記チャンネルがステープラに対して回動可能であるように適応されていることを特徴とする、序文に示されている種類のステープラを提供する。
【０００８】
本発明は、また、ステープラに取着されており前記切断装置の往復移動を伴うスピンドルを囲むようにして回動可能に接続されているスリーブを有することを、特徴とする。
【０００９】
本発明は、また、前記スリーブが、開かれたスリーブの形状を有することを、特徴とする。
【００１０】
本発明は、また、前記スピンドルが回動することを、特徴とする。
【００１１】
本発明は、前記スピンドルが円形でない断面を有することを、更に特徴とする。
【００１２】
本発明は、ステープラに取着されており前記切断装置の往復移動を伴うスリーブに回動可能に接続されているスピンドルを有することを、更に特徴とする。
【００１３】
また、本発明の特徴は、前記切断装置の移動の方向と、前記チャンネルの長手方向との間の角度が、往復移動の時に前記切断装置がどこにあるかによって変わることである。
【図面の簡単な説明】
【００１４】
【図１】図１は、休止位置にあるステープラを示す、本発明に装着されているステープラの概略図を示している。
【図２】図２は、図１に対応し、ステープラが動作位置にある図である。
【図３】図３は、本発明に不可欠の部分の詳細図である。
【図４】図４は、本発明に不可欠の部分の詳細図である。
【図５】図５は、本発明に不可欠の部分の詳細図である。
【図６】図６は、本発明の参考例に不可欠の部分の詳細図である。
【図７】図７は、ステープルの詳細図である。
【発明を実施するための形態】
【００１５】
本発明は、添付の図面を参照して、以下に説明される。
【００１６】
図１は、本発明を構成するステープラ１を非常に概略的に示している。この図は、本発明の適切な理解のために必要な部分のみを明瞭に示している。当業者にとって明らかである部分及び解決法が、概略的にのみ示されている。この図では、ステープラが、休止位置にあり、この図は、ステープラが、スピンドル４によって回動可能に互いに接続されている下側の部材２と上側の部材３とを有していることを、示している。前記下側の部材２内には、複数のステープルを収容するステープルマガジン５が設けられており、この図には、駆動位置にある概略的に示されている１つのステープル６以外は、示されていない。前記上側の部材３内には、前記スピンドル４に回動可能に接続されている第１の端部９を有するレバーアーム８に、結合装置７によって駆動接続されているモータＭが、設けられている。前記レバーアーム８は、前記マガジン５内に、もしくはこれに近接して配置されているドライバ１１に接続されている、前記第１の端部９に対して反対の端部１０を有している。前記下側の部材内には、機能が以下に説明に示されているコンテナ１２が、設けられている。前記上側の部材３は、切断装置１４が設けられているアンビル部分１３を有している。チャンネル１５が、前記アンビル部分１３と前記コンテナ１２との間に延びており、両方向の矢印Ｖによって示されている方向に、接続装置１６によって前記上側の部材３に回動可能に接続されている。前記接続装置は、中間の結合部分１８によって前記チャンネル１５にしっかりと接続されている細長いスリーブ１７を有している。前記接続装置は、また、前記上側の部材３に接続されているスピンドル１９を有しており、このスピンドル１９を囲むようにして、前記スリーブ１７が接続されている。前記上側の部材に回動可能に接続されている車輪２１を回動させるように第１の伝達手段２０が、前記モータＭから延びている。第２の伝達手段２２が、前記車輪２１から延びており、前記スピンドル１９に接続されているハブ２３に接続されている。前記スピンドル１９は、前記上側の部材３に、回動可能に取着されている。この図は、また、ステープル６を使用してステープラによって一緒に留められるための２枚以上の紙によって好ましくは構成されているワークピース２４を示している。前記上側及び下側の部材が前記スピンドル４によって回動可能に接合されているという事実によって、前記上側の部材は、両方向の矢印Ｈによって示されている方向の往復の留めのための移動で、前記下側の部材に対して移動されることが可能となる。破線Ａ−Ａが、前記留めのための移動の前記Ｈの方向と角度ａを形成している前記チャンネル１５の長手方向の線を示している。
【００１７】
図７は、１つの頂上部分２５と、これに対して傾斜している複数の脚部２６とを有するステープル６を示している。図２は、前記モータＭが、ステープラが図１に示されている休止位置から図２に示されている動作位置への留めるための移動で、前記上側の部材３を前記下側の部材２へと駆動させている状態を、示している。この図は、また、前記ステープル脚部２６が前記アンビル部分中へ、かくして前記切断装置１４に延びるように、前記ステープル６を前記ワークピース２４にわたって駆動させているドライバ１１を有する前記レバーアーム８を示している。この状態では、前記接続装置１６は、前記Ｖの方向に前記チャンネル１５を回動させて、前記角度ａが、ステープラが前記休止位置にある時より鈍角となっている。前記チャンネル１５の第１の端部２７が、前記切断装置１４に近接している。前記チャンネルの、前記切断装置への接続は、前記チャンネルと前記切断装置とを接続しているベローによるものであり得、もしくは、可能であれば、前記チャンネルが中に挿入される開口部が設けられている前記切断装置１４によるものであり得、もしくは、可能であれば、前記切断装置によって切断された前記ステープル脚部の切断部分が前記切断装置から前記チャンネルへと確実に導かれることを保証する、当業者によって既知のいかなる形態の接続によるものであり得る。前記チャンネルの他方の端部２８が、前記コンテナ１２中に導かれている。この動作位置では、前記切断装置は、当業者に既知の方法で前記ステープル脚部から余分の長さの部分を切断し、この切断された部分は、前記チャンネル１５中に導かれ、前記コンテナ１２に運ばれる。前記切断及び前記チャンネルへの導入は、図面に概略的に示されているもの以外は示されていないが、当業者には、一般に既知であり、種々の異なる方法で果たされ得る。詳細な説明は、ここでは行わない。
【００１８】
図３は、図１及び図２に示されている接続装置１６を、詳細に示している。図４は、別の接続装置を示しており、この装置では、前記細長いスリーブは、前記スピンドルへの前記スリーブの取着を容易にするように、開口部２９を有している。図５は、円形でない断面を有するスピンドル３０を示しており、この円形でない断面は、前記スピンドルが回動する時に、前記チャンネルが前記動作位置から前記休止位置へと移動される時に振動し、これによって、前記チャンネルを通る前記ステープル脚部の切断された部分の搬送を改良するように、設定されている。参考例が示されている図６では、チャンネルに、スピンドル３１が設けられており、前記上側の部材は、これに取着されているスリーブ３２を有している。
【００１９】
前記チャンネルが前記上側の部材に回動可能に接続されているという事実は、前記チャンネルの長手方向のラインＡ−Ａと前記留めの動作のＨの方向との間の角度ａが、前記留めの動作の時に前記アンビル部分がどこにあるかによって変わることを意味し、この角度は、前記動作位置より休止位置にある方が鋭角である。この結果、前記チャンネルが前記上側の部材３に固定して接続されている場合より、前記水平面に対するステープラの広範囲の種々の位置づけで、前記チャンネルから前記コンテナ１２への、前記ステープル脚部の信頼できる搬送となる。
【００２０】
本発明は、上述の説明によって制限されないが、以下に示されている付記によってのみ、制限される。  
以下に、出願当初の特許請求の範囲を付記として記載する。
付記１
頂上部分（２５）と、これに対して傾斜した複数のステープル脚部（２６）とを具備するステープル（６）を使用するためのステープラ（１）であり、
ワークピース（２４）、例えば紙の束を、ステープルマガジン（５）から前記ステープル脚部が前記ワークピースを貫通する位置へ、ステープラに取着されているドライバ（１１）によって駆動されるステープルによって、一緒に留め、
アンビル部分（１３）とコンテナ（１２）とを有しており、前記アンビル部分（１３）には、切断装置（１４）が装着されており、前記アンビル部分（１３）と切断装置（１４）とは、切断装置（１４）が、前記ステープル脚部がワークピースを貫通した時に動作位置で前記ステープル脚部の余分の長さの部分を切断するように、動作位置と休止位置との間で所定の方向（Ｈ）に、前記ステープルマガジンに対して往復移動し、前記コンテナ（１２）は、前記ステープル脚部の切断された部分を、前記切断装置との間で、所定の長手方向（Ａ−Ａ）に延びているチャンネル（１５）を介して搬送されることによって集める、ステープラ（１）において、
前記チャンネル（１５）は、接続装置（１６）によってステープラに回動可能に取着されていることを特徴とする、ステープラ。
付記２
前記接続装置（１６）は、前記チャンネル（１５）に接続されており且つステープラに取着されているスピンドル（１９）に回動可能に接続されており、前記切断装置の往復移動を伴うスリーブ（１７）を具備することを特徴とする、付記１に記載のステープラ（１）。
付記３
前記スリーブは、開口部（２９）を有することを特徴とする付記２に記載のステープラ（１）。
付記４
前記スピンドル（１９）は、回動することを特徴とする付記２又は３に記載のステープラ（１）。
付記５
前記スピンドル（３０）は、円形でない断面を有することを特徴とする付記２乃至４のいずれか１に記載のステープラ（１）。
付記６
前記接続装置（１６）は、前記チャンネル（１５）に接続されており且つステープラに取着されているスリーブ（３２）に回動可能に接続されており、前記切断装置の往復移動を伴うスピンドル（３１）を具備することを特徴とする、付記１に記載のステープラ（１）。
付記７
前記切断装置の移動の方向（Ｈ）と、前記チャンネルの長手方向（Ａ−Ａ）との間の角度（ａ）が、前記切断装置が往復移動の時にどこにあるかによって変わることを特徴とする、付記１乃至６のいずれか１に記載のステープラ（１）。
【図１】
0005897614.tif 000002
【図２】
0005897614.tif 000003
【図３】
0005897614.tif 000004
【図４】
0005897614.tif 000005
【図５】
0005897614.tif 000006
【図６】
0005897614.tif 000007
【図７】
0005897614.tif 000008